(57)【要約】【課題】使用者に意識させることなく、複数のディスプレイの位置ずれを容易に補正する。【解決手段】フォトセンサ６は、ヒンジ３を０°に「閉じた」、折り畳んだことが検出されると、液晶ディスプレイ２に表示されるディスプレイ位置補正用画像を測定する。処理部１２は、液晶ディスプレイ２に表示されるディスプレイ位置補正用画像がフォトセンサ６で検出されるタイミングに従って、ヒンジ３のずれに伴う液晶ディスプレイ１、２間のずれ方向、ずれ量に応じた、液晶ディスプレイ２の位置を補正するための補正値を算出する。また、処理部１２は、筐体が展開された状態になると、液晶ディスプレイ２のずれとは逆方向に、液晶ディスプレイ２に表示する表示データをずれ量分だけずらして表示する。【選択図】図１
2012037599.tif 000002
【特許請求の範囲】
【請求項１】
第１のディスプレイが配設された第１の筐体と第２のディスプレイが配設された第２の筐体とを回動可能にヒンジで接続した折畳型のディスプレイ装置であって、
前記第１のディスプレイと前記第２のディスプレイとを対向させて前記第１の筐体と前記第２の筐体とが折り畳まれた否かを検出するスタイル検出手段と、
前記第１のディスプレイと前記第２のディスプレイとを対向させて前記第１の筐体と前記第２の筐体とを折り畳んだ状態で、前記第１のディスプレイと前記第２のディスプレイとの少なくとも一方のディスプレイの一部に対向するよう配置され、少なくとも一方のディスプレイに表示される画像を検出する検出手段と、
前記スタイル検出手段により前記第１の筐体と前記第２の筐体とが折り畳まれたことが検出されると、前記少なくとも一方のディスプレイにディスプレイ位置補正用画像を表示し、前記検出手段により検出される前記ディスプレイ位置補正用画像に基づいて、前記第１のディスプレイと前記第２のディスプレイとの位置のずれ方向とずれ量とを算出する補正値算出手段と、
前記補正値算出手段によって算出された該ずれ方向とずれ量とに基づいて、前記第１のディスプレイと前記第２のディスプレイとの位置ずれを補正する補正手段と
を備えることを特徴とするディスプレイ装置。
【請求項２】
前記補正値算出手段は、
前記スタイル検出手段により前記第１の筐体と前記第２の筐体とが折り畳まれたことが検出されると、前記ディスプレイ位置補正用画像として、検出しようとするずれ方向に直交する方向に描画されたラインを、該ラインが前記検出しようとするずれ方向に所定の画素単位で移動するように、前記少なくとも一方のディスプレイに表示する
ことを特徴とする請求項１に記載のディスプレイ装置。
【請求項３】
前記補正手段は、
前記補正値算出手段によって算出された該ずれ方向とずれ量とに基づいて、前記第１のディスプレイと前記第２のディスプレイとの少なくとも一方のディスプレイに表示する表示データの位置を補正する画像処理手段である
ことを特徴とする請求項１または２に記載のディスプレイ装置。
【請求項４】
前記補正手段は、
前記補正値算出手段によって算出された該ずれ方向とずれ量とに基づいて、前記第１のディスプレイと前記第２のディスプレイとの少なくとも一方のディスプレイを物理的に移動する物理的移動素子である
ことを特徴とする請求項１または２に記載のディスプレイ装置。
【請求項５】
前記検出手段は、
前記第１のディスプレイと前記第２のディスプレイとを対向させて折り畳んだ状態で、前記第１のディスプレイの一部に対向するよう配置され、前記第１のディスプレイに表示される画像を検出する第１の検出手段と、
前記第１のディスプレイと前記第２のディスプレイとを対向させて折り畳んだ状態で、前記第２のディスプレイの一部に対向するよう配置され、前記第２のディスプレイに表示される画像を検出する第２の検出手段とからなり、
前記補正値算出手段は、
前記スタイル検出手段により前記第１の筐体と前記第２の筐体とが折り畳まれたことが検出されると、前記第１のディスプレイにディスプレイ位置補正用画像を表示し、前記第１の検出手段により検出される前記ディスプレイ位置補正用画像に基づいて、前記第１のディスプレイの位置のずれ方向とずれ量とを算出するとともに、前記第２のディスプレイにディスプレイ位置補正用画像を表示し、前記第２の検出手段により検出される前記ディスプレイ位置補正用画像に基づいて、前記第２のディスプレイの位置のずれ方向とずれ量とを算出し、
前記補正手段は、
前記補正値算出手段によって算出された、前記第１のディスプレイの位置のずれ方向とずれ量、及び前記第２のディスプレイの位置のずれ方向とずれ量に基づいて、前記第１のディスプレイと前記第２のディスプレイと位置ずれを補正する
ことを特徴とする請求項１に記載のディスプレイ装置。
【請求項６】
前記補正値算出手段は、
前記スタイル検出手段により前記第１の筐体と前記第２の筐体とが折り畳まれたことが検出されると、前記ディスプレイ位置補正用画像として、検出しようとするずれ方向に直交する方向に描画されたラインを、該ラインが前記検出しようとするずれ方向に所定の画素単位で移動するように、前記第１のディスプレイと前記第２のディスプレイとに表示する
ことを特徴とする請求項５に記載のディスプレイ装置。
【請求項７】
前記補正手段は、
前記補正値算出手段によって算出された、前記第１のディスプレイの位置のずれ方向とずれ量、及び前記第２のディスプレイの位置のずれ方向とずれ量に基づいて、前記第１のディスプレイと前記第２のディスプレイとに表示する表示データの位置を補正する画像処理手段である
ことを特徴とする請求項５または６に記載のディスプレイ装置。
【請求項８】
前記補正手段は、
前記補正値算出手段によって算出された、前記第１のディスプレイの位置のずれ方向とずれ量、及び前記第２のディスプレイの位置のずれ方向とずれ量に基づいて、前記第１のディスプレイと前記第２のディスプレイとを物理的に移動する物理的移動素子である
ことを特徴とする請求項５または６に記載のディスプレイ装置。
【請求項９】
第１のディスプレイが配設された第１の筐体と第２のディスプレイが配設された第２の筐体とを回動可能にヒンジで接続した折畳型のディスプレイ装置のコンピュータに、
前記第１のディスプレイと前記第２のディスプレイとを対向させて前記第１の筐体と前記第２の筐体とが折り畳まれた否かを検出するスタイル検出機能、
前記第１のディスプレイと前記第２のディスプレイとを対向させて前記第１の筐体と前記第２の筐体とを折り畳んだ状態で、前記第１のディスプレイと前記第２のディスプレイとの少なくとも一方のディスプレイの一部に対向するよう配置された検出手段により、少なくとも一方のディスプレイに表示される画像を検出する検出機能、
前記スタイル検出機能により前記第１の筐体と前記第２の筐体とが折り畳まれたことが検出されると、前記少なくとも一方のディスプレイにディスプレイ位置補正用画像を表示し、前記検出手段により検出される前記ディスプレイ位置補正用画像に基づいて、前記第１のディスプレイと前記第２のディスプレイとの位置のずれ方向とずれ量とを算出する補正値算出機能、
前記補正値算出機能によって算出された該ずれ方向とずれ量とに基づいて、前記第１のディスプレイと前記第２のディスプレイと位置ずれを補正する補正機能
を実行させることを特徴とするプログラム。
【発明の詳細な説明】
【技術分野】
【０００１】
本発明は、複数のディスプレイを備える折畳型のディスプレイ装置、及びプログラムに関する。
【背景技術】
【０００２】
従来より、複数のディスプレイを備える折畳型のマルチディスプレイ装置が知られている（例えば、特許文献１参照）。該マルチディスプレイ装置は、角度調整機構（ヒンジ）により回動可能に取り付けられた第１のディスプレイ装置と第２のディスプレイ装置とを備え、それぞれに独立した画像を表示させることが可能になっている。
【先行技術文献】
【特許文献】
【０００３】
【特許文献１】特開２００５−０３７７４７号公報
【発明の概要】
【発明が解決しようとする課題】
【０００４】
ところで、上記マルチディスプレイ装置において、少なくとも２つのディスプレイを連結して１つの大画面ディスプレイとして用いて１つの画像を表示する場合、ヒンジの上下左右方向にずれが生じると、２つのディスプレイの連結部分がずれてしまい、左右の画像が連続せず、視認性が悪くなる。特に、携帯電話などの場合には、高解像度のディスプレイを連結することになるため、僅かなずれ（例えば、１ライン）でも視認性が悪くなる。しかしながら、上述した従来技術では、複数のディスプレイの位置ずれを補正することができないという問題があった。
【０００５】
そこで本発明は、使用者に意識させることなく、複数のディスプレイの位置ずれを容易に補正することができるディスプレイ装置、及びディスプレイ位置補正方法を提供することを目的とする。
【課題を解決するための手段】
【０００６】
上記目的達成のため、請求項１記載の発明は、第１のディスプレイが配設された第１の筐体と第２のディスプレイが配設された第２の筐体とを回動可能にヒンジで接続した折畳型のディスプレイ装置であって、前記第１のディスプレイと前記第２のディスプレイとを対向させて前記第１の筐体と前記第２の筐体とが折り畳まれた否かを検出するスタイル検出手段と、前記第１のディスプレイと前記第２のディスプレイとを対向させて前記第１の筐体と前記第２の筐体とを折り畳んだ状態で、前記第１のディスプレイと前記第２のディスプレイとの少なくとも一方のディスプレイの一部に対向するよう配置され、少なくとも一方のディスプレイに表示される画像を検出する検出手段と、前記スタイル検出手段により前記第１の筐体と前記第２の筐体とが折り畳まれたことが検出されると、前記少なくとも一方のディスプレイにディスプレイ位置補正用画像を表示し、前記検出手段により検出される前記ディスプレイ位置補正用画像に基づいて、前記第１のディスプレイと前記第２のディスプレイとの位置のずれ方向とずれ量とを算出する補正値算出手段と、前記補正値算出手段によって算出された該ずれ方向とずれ量とに基づいて、前記第１のディスプレイと前記第２のディスプレイとの位置ずれを補正する補正手段とを備えることを特徴とするディスプレイ装置である。
【０００７】
また、上記目的達成のため、請求項９記載の発明は、第１のディスプレイが配設された第１の筐体と第２のディスプレイが配設された第２の筐体とを回動可能にヒンジで接続した折畳型のディスプレイ装置のコンピュータに、前記第１のディスプレイと前記第２のディスプレイとを対向させて前記第１の筐体と前記第２の筐体とが折り畳まれた否かを検出するスタイル検出機能、前記第１のディスプレイと前記第２のディスプレイとを対向させて前記第１の筐体と前記第２の筐体とを折り畳んだ状態で、前記第１のディスプレイと前記第２のディスプレイとの少なくとも一方のディスプレイの一部に対向するよう配置された検出手段により、少なくとも一方のディスプレイに表示される画像を検出する検出機能、前記スタイル検出機能により前記第１の筐体と前記第２の筐体とが折り畳まれたことが検出されると、前記少なくとも一方のディスプレイにディスプレイ位置補正用画像を表示し、前記検出手段により検出される前記ディスプレイ位置補正用画像に基づいて、前記第１のディスプレイと前記第２のディスプレイとの位置のずれ方向とずれ量とを算出する補正値算出機能、前記補正値算出機能によって算出された該ずれ方向とずれ量とに基づいて、前記第１のディスプレイと前記第２のディスプレイと位置ずれを補正する補正機能を実行させることを特徴とするプログラムである。
【発明の効果】
【０００８】
この発明によれば、使用者に意識させることなく、複数のディスプレイの位置ずれを容易に補正することができるという利点が得られる。
【図面の簡単な説明】
【０００９】
【図１】本発明の実施形態によるディスプレイ装置の外観及び使用状態を示す模式図である。
【図２】本第１実施形態によるディスプレイ装置の構成を示すブロック図である。
【図３】本第１実施形態によるディスプレイ装置の動作を説明するためのフローチャートである。
【図４】本第１実施形態による、ディスプレイ制御部１４に表示されるディスプレイ位置補正用画像、ずれ量の検出を説明するための模式図である。
【図５】本第１実施形態による、液晶ディスプレイ１、２での表示例を示す模式図である。
【図６】本第２実施形態によるディスプレイ装置の構成を示すブロック図である。
【図７】本第２実施形態による、液晶ディスプレイ１、２での表示例を示す模式図である。
【図８】本第３実施形態によるディスプレイ装置の他の構成例を示す模式図である。
【図９】本第３実施形態によるディスプレイ装置の他の構成例を示す模式図である。
【図１０】本第３実施形態によるディスプレイ装置の構成を示すブロック図である。
【図１１】本第４実施形態によるフォトセンサでの検出方法を説明するための概念図である。
【図１２】本第４実施形態によるフォトセンサでの他の検出方法を説明するための概念図である。
【発明を実施するための形態】
【００１０】
以下、本発明の実施の形態を、図面を参照して説明する。
【００１１】
Ａ．第１実施形態
Ａ−１．第１実施形態の構成
図１（ａ）〜（ｄ）は、本発明の第１実施形態によるディスプレイ装置の外観及び使用状態を示す模式図である。図において、ディスプレイ装置は、２つの液晶ディスプレイ１、２を備え、液晶ディスプレイ１、２は、ヒンジ３を介した第１の筐体４と第２の筐体５とにそれぞれ配置されている。ヒンジ３は、３６０°回転できるようになっている。また、一方の筐体（図示の例では、第２の筐体５）は、ヒンジ３に沿って矢印方向にスライドさせることが可能となっている。
【００１２】
図１（ａ）に示すように、液晶ディスプレイ１、２が内側になるように、ヒンジ３を０°に「閉じた」、折り畳んだ状態で、第２の筐体５を矢印方向にスライドさせた状態が非使用時である。使用時には、図１（ｂ）に示すように、折り畳んだ状態から、ヒンジ３を１８０°に「開いた」状態にして、図１（ｃ）に示すように、第２の筐体５を矢印方向にスライドさせて、両方の液晶ディスプレイ１、２を物理的に近接させて１つの大画面となるよう連結して表示データを表示する。
【００１３】
また、液晶ディスプレイ１の上側には、ヒンジ３を０°に「閉じた」、折り畳んだ状態で、かつ第２の筐体５をスライドさせた状態で、対向する液晶ディスプレイ２の一部に対向する位置にフォトセンサ６が配設されている。つまり、図１（ｄ）に示すように、ディスプレイ装置のヒンジ３が０°の「閉じた」状態において、液晶ディスプレイ１と液晶ディスプレイ２とは、縦方向にずれた状態で対向する。第１の筐体４側のフォトセンサ６は、液晶ディスプレイ２のずれた部分に対向するようになっている。なお、ディスプレイ装置を「閉じた」状態においては、液晶ディスプレイ１、２からの光が外部へ漏れず、フォトセンサ６に外部からの光が入射しないような構造を採用する。
【００１４】
図２は、本第１実施形態によるディスプレイ装置の構成を示すブロック図である。図において、第１の筐体４は、液晶ディスプレイ１、フォトセンサ６、バックライト８、ディスプレイ制御部９、スタイル検出部１１、処理部１２を備えている。また、第２の筐体５は、液晶ディスプレイ２、バックライト１３、ディスプレイ制御部１４、メモリ１５を備えている。
【００１５】
液晶ディスプレイ１、２は、同一方式のディスプレイである。本第１実施形態では、液晶ディスプレイ１、２の位置ずれを補正するために、液晶ディスプレイ２の表示領域の位置を位置ずれに応じて逆方向に移動させるようになっている。すなわち、本第１実施形態では、実際の液晶ディスプレイ１、２で描画可能な領域（全画面）より、一回り小さいな領域を表示領域としている。言い換えると、例えば、４８０×６４０ドットのサイズを表示領域とするならば、液晶ディスプレイ１、２を５００×７００ドットのサイズとする。これにより、上下に１０ドット、左右に３０ドットのマージンを持たせる。
【００１６】
上述したように、本第１実施形態では、液晶ディスプレイ１、２間の位置ずれに応じて、液晶ディスプレイ２の表示領域の位置を、ずれた方向とは逆方向に移動させることで、液晶ディスプレイ１、２間の位置ずれを補正する。例えば、ヒンジ３のずれにより、液晶ディスプレイ２が液晶ディスプレイ１に対して下方向にずれてしまった場合には、その下方向へのずれ量に応じて、液晶ディスプレイ２の表示領域の位置を上方向に移動させればよい。ずれ量が下方向へ５画素分であれば、液晶ディスプレイ２の表示領域の位置を上方向に５画素分移動させればよい。このように、本第１実施形態では、液晶ディスプレイ１、２間の位置ずれを、該位置ずれに応じて液晶ディスプレイ２の表示領域の位置をずらすことにより補正するため、液晶ディスプレイ１、２の描画可能な領域より、一回り小さいな領域を表示領域としている。
【００１７】
フォトセンサ６は、ヒンジ３を０°に「閉じた」、折り畳んだ状態で、液晶ディスプレイ２に表示されるディスプレイ位置補正用画像を検出する。バックライト８、１３は、各々、対応する液晶ディスプレイ１、２の裏側に配置されており、光源として、点灯用の回路も含めて簡易で小型にできるよう、白色ＬＥＤを用いている。
【００１８】
ディスプレイ制御部９、１４は、処理部１２からの制御に従って、液晶ディスプレイ１、２、バックライト８、１３を駆動する。特に、ディスプレイ制御部１４は、処理部１２からディスプレイ位置補正動作が指示されると、メモリ１５に格納されているディスプレイ位置補正用画像の液晶ディスプレイ２への表示制御を行う。また、ディスプレイ制御部１４は、ディスプレイ位置補正動作により求められた、液晶ディスプレイ２の位置を補正するための補正値を処理部１２から受け取り、メモリ１５に保存する。
【００１９】
メモリ１５は、上述したように、ディスプレイ位置補正用画像や、液晶ディスプレイ２の位置を補正するための補正値を記憶する。なお、メモリ１５は、処理部１２に接続されていてもよく、処理部１２がメモリ１５からディスプレイ位置補正用画像を読み出し、ディスプレイ制御部１４に与えて液晶ディスプレイ２に表示したり、液晶ディスプレイ２の位置を補正するための補正値を読み出し、ディスプレイ制御部１４に指示して補正値に応じて液晶ディスプレイ２に表示する表示データの位置を補正するようにしてもよい。
【００２０】
スタイル検出部１１は、ヒンジ３が０°以外の「開いた」状態、あるいはヒンジ３が０°の「閉じた」状態を検出する。フォトセンサ６は、ヒンジ３が０°以外の「開いた」状態からヒンジ３が０°の「閉じた」とき、すなわち、液晶ディスプレイ１、２が対面する状態になると、対向する液晶ディスプレイ２に表示されるディスプレイ位置補正用画像を検出する。
【００２１】
処理部１２は、ヒンジ３が０°以外の「開いた」状態においては、液晶ディスプレイ１、２に表示すべきデータを、それぞれのディスプレイ制御部９、１４に供給する。このとき、ディスプレイ制御部９、１４は、各々、表示データを液晶ディスプレイ１、２に送信する。また、処理部１２は、ヒンジ３が０°の「閉じた」状態になったとき、ディスプレイ制御部１４により液晶ディスプレイ２に表示されるディスプレイ位置補正用画像がフォトセンサ６で検出されるタイミングに従って、ヒンジ３のずれに伴う液晶ディスプレイ１、２間のずれ方向、ずれ量に応じた、液晶ディスプレイ２の位置を補正するための補正値を算出する。
【００２２】
Ａ−２．第１実施形態の動作
次に、上述した第１実施形態の動作について説明する。
図３は、本第１実施形態によるディスプレイ装置の動作を説明するためのフローチャートである。まず、スタイル検出部１１は、ヒンジ３の状態（角度）からディスプレイ装置のスタイルを検出し（ステップＳ１０）、処理部１２は、スタイル検出部１１による検出結果に基づいて、ヒンジ３が０°以外の「開いた」状態から０°の「閉じた」状態になったか否か、すなわち、筐体が折り畳まれたか否かを判断する（ステップＳ１２）。
【００２３】
そして、筐体が折り畳まれていない場合には（ステップＳ１２でＮＯ）、スタイル検出部１１による検出結果に基づいて、ヒンジ３が０°の「閉じた」状態であるか否か、すなわち折り畳まれた状態であるか否かを判断する（ステップＳ１４）。ここで、ヒンジ３が０°の「閉じた」状態でない場合、すなわち筐体が展開されている場合には（ステップＳ１４でＮＯ）、ディスプレイ制御部１４は、処理部１２の制御の下、メモリ１５に格納されている液晶ディスプレイ２の位置を補正するための補正値を読み込み、該補正値に基づいて、アプリケーションの表示位置を補正して液晶ディスプレイ２に表示する（ステップＳ１６）。ディスプレイ制御部９は、処理部１２の制御の下、通常通り、アプリケーションを液晶ディスプレイ２に表示する。以降、筐体が「開いた」状態においては、上述したステップＳ１０〜Ｓ１６を繰り返し実行する。
【００２４】
一方、ヒンジ３が０°以外の「開いた」状態から０°の「閉じた」状態になった場合、すなわち、筐体が折り畳まれた場合には（ステップＳ１２のＹＥＳ）、ディスプレイ制御部９、１４による表示データの表示を停止し、処理部１２は、ディスプレイ制御部１４にディスプレイ位置補正用画像の表示を指示し、ディスプレイ制御部１４は、メモリ１５に記憶されているディスプレイ位置補正用画像を読み込み、液晶ディスプレイ２に表示する（ステップＳ１８）。フォトセンサ６は、液晶ディスプレイ２に表示されるディスプレイ位置補正用画像を検出し（ステップＳ２０）、液晶ディスプレイ１、２の位置ずれを補正するための補正値を算出する（ステップＳ２２）。
【００２５】
ここで、図４（ａ）、（ｂ）は、本第１実施形態による、ディスプレイ制御部１４に表示されるディスプレイ位置補正用画像、ずれ量の検出を説明するための模式図である。筐体が折り畳まれた場合、ディスプレイ制御部９、１４による表示データの表示が停止するので、液晶ディスプレイ１、２は、全面ブラックとなる。また、筐体が折り畳まれた状態では、図示するように、フォトセンサ６が液晶ディスプレイ２の上部に対面するように位置する。
【００２６】
液晶ディスプレイ２には、ディスプレイ位置補正用画像として、図示するように、ｘ軸方向（水平方向）に延びるライン（ライン幅が１ドット）Ｌを表示し、ｙ軸方向（垂直方向）に１ドットずらして上方向（矢印方向）に移動させる（液晶ディスプレイ２の中央部）。この場合、黒背景であるので、例えば、白色ラインとしている。ヒンジ３にずれがなく、液晶ディスプレイ１、２（すなわち、第１の筐体４、第２の筐体５）にずれがない場合には、図４（ａ）に示すように、フォトセンサ６は、所定の位置でラインＬを検出する（液晶ディスプレイ２の上部）。
【００２７】
一方、ヒンジ３がずれ、液晶ディスプレイ１、２（すなわち、第１の筐体４、第２の筐体５）にずれがある場合、例えば、図４（ｂ）に示すように、液晶ディスプレイ２（すなわち、第２の筐体５）が下側にずれた場合には、フォトセンサ６は、相対的に、所定の位置（白破線）より上側でラインＬを検出することになる。つまり、液晶ディスプレイ２のずれ量Ｄの分、フォトセンサ６は、所定の位置（白破線）よりずれ量ｄ分上側でラインＬを検出することになる。処理部１２は、フォトセンサ６により検出されたライン位置に従って補正値を算出すればよい。
【００２８】
次に、処理部１２は、ディスプレイ制御部１４のメモリ１５に上記補正値を保存し（ステップＳ２６）、低消費電力モードに移行する（ステップＳ２８）。つまり、液晶ディスプレイ１、２を消灯する。
【００２９】
また、ヒンジ３が０°の「閉じた」状態、すなわち折り畳まれた状態が続いている場合には（ステップＳ１４でＹＥＳの場合）、ステップＳ２８に進み、液晶ディスプレイ１、２を消灯する低消費電力モードへ移行する。なお、筐体が展開された状態でも、操作されない場合などが所定時間以上継続すると、自動的にステップＳ２８の低消費電力モードへ移行するようにしてもよい。
【００３０】
次に、スタイル検出部１１が、ヒンジ３が０°以外の「開いた」状態、すなわち筐体が展開された状態を再び検出すると（ステップＳ１４のＮＯ）、ディスプレイ制御部９、１４は、各々、液晶ディスプレイ１、２を１つの画面として、例えば、アプリケーションなどの１つの表示データを表示する。このとき、ディスプレイ制御部１４は、上述したステップＳ１８〜Ｓ２８で計測、算出され、メモリ１５に格納されている補正値に従って、液晶ディスプレイ２に表示する表示データの位置を補正するので、液晶ディスプレイ１、２がずれていても、液晶ディスプレイ１、２のそれぞれに表示される表示データ（アプリケーションなど）は、連結部分でずれて見えないようになる。
【００３１】
図５（ａ）〜（ｃ）は、本第１実施形態による、液晶ディスプレイ１、２での表示例を示す模式図である。ヒンジ３がずれていない場合には、図５（ａ）に示すように、第１の筐体４と第２の筐体５とにずれがないので、当然、液晶ディスプレイ１、２にもずれがなく、液晶ディスプレイ１、２のそれぞれに表示される表示データ（アプリケーションなど）も１つの画像として違和感なく表示される。
【００３２】
これに対して、ヒンジ３がずれた場合には、図５（ｂ）に示すように、第１の筐体４に対して第２の筐体５がずれ量Ｄだけ下方向にずれてしまい、、液晶ディスプレイ１、２のそれぞれに表示される表示データ（アプリケーションなど）がずれてしまい、１つの画像として違和感を与えてしまうことになる。そこで、本第１実施形態では、上述した補正処理により、液晶ディスプレイ２のずれとは逆方向に、液晶ディスプレイ２に表示する表示データをずれ量ｄ分だけずらして表示することで、図５（ｃ）に示すように、液晶ディスプレイ１、２のそれぞれに表示される表示データ（アプリケーションなど）が１つの画像として違和感なく表示される。
【００３３】
上述した第１実施形態によれば、使用者にディスプレイ位置補正用画像を見せることなく、常時、気づかれることなく、液晶ディスプレイ１、２間のずれを補正することができる。これにより、液晶ディスプレイ１、２に跨って１つの連続した表示データを表示する場合にも、違和感なく表示することができる。
【００３４】
なお、第１実施形態では、基本的に、ヒンジ３のずれに対して、液晶ディスプレイ２側に表示する表示データの位置を補正するようにしたが、ヒンジ３によるずれが、液晶ディスプレイ２側の描画可能範囲を越えてしまった場合には、液晶ディスプレイ１側に表示する表示データの位置も補正するようにしてもよい。
【００３５】
Ｂ．第２実施形態
次に、本発明の第２実施形態について説明する。前述した第１実施形態では、液晶ディスプレイ１、２間のずれに応じて、液晶ディスプレイ２に表示する表示データの位置を補正することで液晶ディスプレイ１、２間のずれを補正した。これに対して、本第２実施形態では、ピエゾ素子などの物理移動素子を用いて、液晶ディスプレイ１、２間のずれに応じて、液晶ディスプレイ２自体を移動することで液晶ディスプレイ１、２間のずれを補正することを特徴とする。
【００３６】
図６は、本第２実施形態によるディスプレイ装置の構成を示すブロック図である。なお、図２に対応する部分には同一の符号を付けて説明を省略する。本第２実施形態では、第２の筐体５側に、物理移動素子１６を備えている。物理移動素子１６は、例えば、強誘電体の一種で、振動や圧力などの力が加わると電圧が発生し、また逆に電圧が加えられると伸縮するピエゾ素子からなる。
【００３７】
図７（ａ）〜（ｃ）は、本第２実施形態による、液晶ディスプレイ１、２での表示例を示す模式図である。図７（ａ）〜（ｃ）に示すように、液晶ディスプレイ２の２辺には、ピエゾ素子からなる物理移動素子１６が配置されている。なお、図７（ａ）〜（ｃ）に示す例では、液晶ディスプレイ２の２カ所に物理移動素子１６が設けられているが、これは、液晶ディスプレイ２を縦横方向に移動可能にするためである。本第２実施形態では、液晶ディスプレイ１、２間のずれを、縦方向のずれについてのみ説明しているので、少なくとも、液晶ディスプレイ２を縦方向に移動可能とするための物理移動素子１６が配置されていればよい。横方向の移動が必要な場合には、図７（ａ）〜（ｃ）に示す例のように、液晶ディスプレイ２の２辺に配置すればよい。
【００３８】
該物理移動素子１６は、液晶ディスプレイ２に固定され、処理部１２からの制御の下、ディスプレイ制御部１６により供給される制御電圧に従って、所定の方向に、かつ所定の量だけ伸縮することで、液晶ディスプレイ２を、上下左右方向に移動させる。なお、液晶ディスプレイ２の周囲には、液晶ディスプレイ２を移動可能とするためのギャップ１７が設けられている。
【００３９】
ヒンジ３がずれていない場合には、図７（ａ）に示すように、第１の筐体４と第２の筐体５とにずれがないので、当然、液晶ディスプレイ１、２にもずれがなく、液晶ディスプレイ１、２のそれぞれに表示される表示データ（アプリケーションなど）も１つの画像として違和感なく表示される。
【００４０】
これに対して、ヒンジ３がずれた場合には、図７（ｂ）に示すように、第１の筐体４に対して第２の筐体５がずれ量Ｄだけ下方向にずれてしまい、、液晶ディスプレイ１、２のそれぞれに表示される表示データ（アプリケーションなど）がずれてしまい、１つの画像として違和感を与えてしまうことになる。
【００４１】
そこで、本第２実施形態では、上述した補正処理により、ピエゾ素子からなる物理移動素子１６により、液晶ディスプレイ２のずれ方向とは逆方向に、液晶ディスプレイ２をずれ量ｄ分だけずらして表示することで、図７（ｃ）に示すように、液晶ディスプレイ１、２のそれぞれに表示される表示データ（アプリケーションなど）が１つの画像として違和感なく表示される。
【００４２】
上述した第２実施形態によれば、使用者にディスプレイ位置補正用画像を見せることなく、常時、気づかれることなく、液晶ディスプレイ１、２間のずれを補正することができる。これにより、液晶ディスプレイ１、２に跨って１つの連続した表示データを表示する場合にも、違和感なく表示することができる。
【００４３】
なお、本第２実施形態では、基本的に、液晶ディスプレイ１、２間のずれに対して、ピエゾ素子からなる物理移動素子１６によって液晶ディスプレイ２の位置を補正するが、液晶ディスプレイ１、２間のずれ量が、液晶ディスプレイ２の移動可能範囲を越えてしまった場合には、液晶ディスプレイ１側にもピエゾ素子からなる物理移動素子１６を設け、該物理移動素子１６により液晶ディスプレイ１の位置を補正するようにしてもよい。
【００４４】
また、本第２実施形態と前述した第１実施形態とを組み合わせ、ヒンジ３のずれに応じて、液晶ディスプレイ２側に表示する表示データの位置を補正するとともに、ピエゾ素子からなる物理移動素子１６により液晶ディスプレイ２の位置を補正するようにしてもよい。
【００４５】
Ｃ．第３実施形態
次に、本発明の第３実施形態について説明する。
図８（ａ）〜（ｄ）は、本第３実施形態によるディスプレイ装置の他の構成例を示す模式図である。図において、ディスプレイ装置は、２つの液晶ディスプレイ１、２を備え、液晶ディスプレイ１、２は、ヒンジ３を介した第１の筐体４との第２の筐体５とにそれぞれ配置されている。ヒンジ３は、３６０°回転できるようになっている。また、一方の筐体（図示の例では、第２の筐体５）は、ヒンジ３に沿って矢印方向にスライドさせることが可能となっている。
【００４６】
図８（ａ）に示すように、液晶ディスプレイ１、２が内側になるように、ヒンジ３を０°に「閉じた」、折り畳んだ状態で、第２の筐体５を矢印方向にスライドさせた状態が非使用時である。使用時には、図８（ｂ）に示すように、折り畳んだ状態から、ヒンジ３を１８０°に「開いた」状態にして、図８（ｃ）に示すように、第２の筐体５を矢印方向にスライドさせて、両方の液晶ディスプレイ１、２を物理的に近接させて１つの大画面となるよう連結して表示データを表示する。
【００４７】
この場合、図８（ｂ）、（ｃ）に示すように、フォトセンサ６、７は、液晶ディスプレイ１、２の上下に配設されている。図８（ａ）に示すように、ヒンジ３を０°に「閉じた」、折り畳んだ状態で、かつ第２の筐体５をスライドさせた状態、すなわち非使用時には、図８（ｄ）に示すように、液晶ディスプレイ１と液晶ディスプレイ２とは、縦方向にずれた状態で対向する。第１の筐体４側のフォトセンサ６は、液晶ディスプレイ２のずれた部分に対向し、第２の筐体５側のフォトセンサ７は、液晶ディスプレイ１のずれた部分に対向するようになっている。
【００４８】
図９（ａ）〜（ｃ）は、本第３実施形態によるディスプレイ装置の他の構成例を示す模式図である。図において、ディスプレイ装置は、２つの液晶ディスプレイ１、２を備え、液晶ディスプレイ１、２は、ヒンジ３を介した第１の筐体４との第２の筐体５とにそれぞれ配置されている。ヒンジ３は、３６０°回転できるようになっている。
【００４９】
図９（ａ）に示すように、液晶ディスプレイ１、２が内側になるように、ヒンジ３を０°に「閉じた」、折り畳んだ状態が非使用時である。使用時には、図９（ｂ）に示すように、折り畳んだ状態から、ヒンジ３を１８０°に「開いた」状態にして、表示データを表示する。この場合、図９（ｂ）、（ｃ）に示すように、フォトセンサ６、７は、液晶ディスプレイ１、２の横部分に配設されている。図９（ａ）に示すように、ヒンジ３を０°に「閉じた」、折り畳んだ状態、すなわち非使用時には、図９（ｃ）に示すように、液晶ディスプレイ１と液晶ディスプレイ２とは、横方向にずれた状態で対向する。第１の筐体４側のフォトセンサ６は、液晶ディスプレイ２のずれた部分に対向し、第２の筐体５側のフォトセンサ７は、液晶ディスプレイ１のずれた部分に対向するようになっている。
【００５０】
図１０は、本第３実施形態によるディスプレイ装置の構成を示すブロック図である。なお、図２、または図６に対応する部分には同一の符号を付けて説明を省略する。図において、第１の筐体４は、メモリ１０を備えている。メモリ１０は、メモリ１５と同様に、液晶ディスプレイ１に対するディスプレイ位置補正用画像や、液晶ディスプレイ１の位置を補正するための補正値を記憶する。ディスプレイ制御部９は、ディスプレイ制御部１４と同様に、処理部１２からディスプレイ位置補正動作が指示されると、メモリ１０に格納されているディスプレイ位置補正用画像の液晶ディスプレイ１への表示制御を行う。
【００５１】
また、第２の筐体５は、フォトセンサ７を備えている。フォトセンサ７は、ヒンジ３を０°に「閉じた」、折り畳んだ状態で、液晶ディスプレイ１に表示されるディスプレイ位置補正用画像を検出する。
【００５２】
なお、メモリ１０、１５は、処理部１２に接続されていてもよく、処理部１２がメモリ１０、１５から液晶ディスプレイ１、２のそれぞれに対するディスプレイ位置補正用画像を読み出し、ディスプレイ制御部９、１４に与えて液晶ディスプレイ１、２に表示したり、液晶ディスプレイ１、２の位置を補正するための補正値を読み出し、ディスプレイ制御部９、１４に指示して補正値に応じて液晶ディスプレイ１、２に表示する表示データの位置を補正するようにしてもよい。
【００５３】
本第３実施形態では、前述した第１、第２実施形態の構成に加えて、ヒンジ３のずれに対して、筐体が折り畳まれた場合には、ディスプレイ制御部９、１４による表示データの表示を停止し、処理部１２は、ディスプレイ制御部９、１４にディスプレイ位置補正用画像の表示を指示し、ディスプレイ制御部９、１４は、各々、液晶ディスプレイ１、２にディスプレイ位置補正用画像を表示し、フォトセンサ６、７は、各々、液晶ディスプレイ１、２に表示されるディスプレイ位置補正用画像を検出し、それぞれの液晶ディスプレイ１、２に対する第１の補正値、第２の補正値を算出する。
【００５４】
そして、スタイル検出部１１が、ヒンジ３が０°以外の「開いた」状態、すなわち筐体が展開された状態を再び検出すると、ディスプレイ制御部９、１４は、各々、液晶ディスプレイ１、２を１つの画面として、例えば、アプリケーションなどの１つの表示データを表示する。このとき、ディスプレイ制御部９、１４は、前述した第１実施形態のように、第１の補正値、及び第２の補正値に従って、液晶ディスプレイ１、２に表示データの位置をずらして表示する。
【００５５】
上述した第３実施形態によれば、使用者にディスプレイ位置補正用画像を見せることなく、常時、気づかれることなく、液晶ディスプレイ１、２間のずれを、より高精度で補正することができる。これにより、液晶ディスプレイ１、２に跨って１つの連続した表示データを表示する場合にも、違和感なく表示することができる。
【００５６】
なお、本第３実施形態では、前述した第１実施形態と同様に、ヒンジ３のずれによる液晶ディスプレイ１、２間のずれ対して、液晶ディスプレイ１、２に表示する表示データの位置をずらすようにしたが、前述した第２実施形態と同様に、第１の筐体４、第２の筐体５にピエゾ素子からなる物理移動素子１６を設け、該ピエゾ素子からなる物理移動素子１６によって液晶ディスプレイ１、２の物理的な位置を補正するようにしてもよい。
【００５７】
Ｄ．第４実施形態
次に、本発明の第４実施形態について説明する。
本第４実施形態は、前述した第２実施形態で液晶ディスプレイ１、２間のずれを補正するために用いたピエゾ素子などの物理移動素子１６での微細補正を可能にしたものである。前述した第２実施形態では、フォトセンサ６によって液晶ディスプレイ１、２間のずれ、及びずれ量を検出し、該ずれ量に応じて液晶ディスプレイ２の位置をピエゾ素子などの物理移動素子１６で移動させることにより、液晶ディスプレイ１、２間のずれを補正した。
【００５８】
ところで、物理移動素子１６にピエゾ素子を用いた場合には、液晶ディスプレイ２の位置を、液晶ディスプレイ２の画素サイズより小さい距離で、例えば、１／２ドット（あるいはそれ以下）単位で移動させることが可能である。しかしながら、フォトセンサ６の分解能（あるいは、最小検出精度）が１画素しかない場合、液晶ディスプレイ２側のずれを１ライン単位でしか検出できないので、液晶ディスプレイ２の位置も検出精度の範囲でしか補正することができない。
【００５９】
そこで、本第４実施形態では、フォトセンサ６の分解能を、例えば、１／２ドットに上げることで、液晶ディスプレイ１、２間のずれ量を１／２ドット単位で検出し、液晶ディスプレイ２の位置をピエゾ素子などの物理移動素子１６で１／２ドット単位で移動させることにより、より高精度でずれを補正する。特に、本第４実施形態では、単に、高分解能のフォトセンサを用いるのではなく、第１、第２実施形態で用いた、少なくとも１ドット（１ライン）単位の分解能を有するフォトセンサを用いればよいように構成されている。
【００６０】
図１１（ａ）〜（ｃ）は、本第４実施形態によるフォトセンサでの検出方法を説明するための概念図である。本第４実施形態では、図１１（ａ）に示すように、１ライン分の感度を有するフォトセンサ６ａ、６ｂを１／２ドットずらして配置している。フォトセンサ６ａ、６ｂが１ライン（縦方向１ドット、あるいは１ライン）を検出可能であるので、該フォトセンサ６ａ、６ｂを１／２ドット分ずれるように千鳥状に配置することで、１／２ドットのずれを検出できるようになる。なお、以下では、液晶ディスプレイ２の１００ライン目がフォトセンサ６ａによって検出された場合を基準（ずれなし）として説明する。
【００６１】
液晶ディスプレイ１、２間にずれがない場合には、図１１（ａ）に示すように、１００ライン目が点灯したときに、フォトセンサ６ａによって、１００ライン目の点灯が検出されることになる。これに対して、図１１（ｂ）に示すように、液晶ディスプレイ１、２間に矢印方向に１／２ドット（１／２ライン）分のずれが生じた場合には、フォトセンサ６ｂによって、１００ライン目の点灯が検出されることになる。
【００６２】
また、図１１（ｂ）に示すように、液晶ディスプレイ１、２間に矢印方向に１ドット分（１ライン）のずれが生じた場合には、フォトセンサ６ａによって、９９ライン目の点灯が検出されることになる。図示しなかったが、反対方向のずれについても同様に、フォトセンサ６ａ、６ｂで、何番目のラインの点灯を検出したかを判定すれば、液晶ディスプレイ１、２間のずれ量を１／２ドット（１／２ライン）単位で検出することができる。
【００６３】
そして、上述した補正処理により、ピエゾ素子からなる物理移動素子１６により、液晶ディスプレイ２のずれ方向とは逆方向に、液晶ディスプレイ２をずれ量分だけずらして表示することで、液晶ディスプレイ１、２のそれぞれに表示される表示データ（アプリケーションなど）が１つの画像として違和感なく表示される。
【００６４】
上述した第４実施形態によれば、使用者にディスプレイ位置補正用画像を見せることなく、常時、気づかれることなく、液晶ディスプレイ１、２間のずれをより高精細に補正することができる。これにより、液晶ディスプレイ１、２に跨って１つの連続した表示データを表示する場合にも、違和感なく表示することができる。
【００６５】
なお、複数のフォトセンサ６の配置を１／３、１／４、…とすれば、より微細なずれを検出することができ、ピエゾ素子からなる物理移動素子１６の位置精度の限界範囲内で、１ライン以下の補正を実現することができる。
【００６６】
図１２（ａ）〜（ｄ）は、本第４実施形態によるフォトセンサでの他の検出方法を説明するための概念図である。本第４実施形態の他の検出方法では、中央部に最大感度を有し、３ライン分に跨ったサイズのするフォトセンサ６を配置している。該フォトセンサ６は、中央部に最大感度を有しているので、何番目のラインが点灯したときに、その検出レベルがどの程度であるかを判定することで、液晶ディスプレイ１、２間のずれ方向、ずれ量を検出することが可能となっている。なお、以下では、液晶ディスプレイ２の１００ライン目がフォトセンサ６の中央部にあるときを基準（ずれなし）として説明する。
【００６７】
液晶ディスプレイ１、２間にずれがない場合には、図１２（ａ）に示すように、１００ライン目がフォトセンサ６の中央部近傍に位置するので、９９ライン目が点灯したときの検出レベルが「低」、１００ライン目が点灯したときの検出レベルが最大ピーク、１０１ライン目が点灯したときの検出レベルが相対的に「低」となる。このように、１００ライン目で検出レベルが最大ピーク、それ以外での検出レベルがほぼ同じ「低」レベルとなるので、液晶ディスプレイ１、２間にはずれがないと判定することができる。
【００６８】
これに対して、図１２（ｂ）に示すように、液晶ディスプレイ２が下方向に１ライン分ずれた場合には、９９ライン目が点灯したときの検出レベルが最大ピーク、それ以外での検出レベルがほぼ同じ「低」レベルとなるので、液晶ディスプレイ１、２間には、１ライン分ずれが生じていると判定することができる。
【００６９】
また、図１２（ｃ）に示すように、１００ライン目で最大ピークを検出するものの、図１２（ａ）に示す、ずれなしに比べ、「低」レベルであり、かつ最大ピークの１つ前の９９ライン目が（１つ後の１０１ライン目のピークに比べ）やや高ピークであるので、下方向にずれ（図の例は１／２ドットずれ）ていると判定することができる。
【００７０】
同様に、図１２（ｄ）に示すように、１００ライン目で最大ピークを検出するものの、図１２（ａ）に示す、ずれなしに比べ、「低」レベルであり、かつ最大ピークの１つ後の１０１ライン目が（１つ前の９９ライン目のピークに比べ）やや高ピークであるので、上方向にずれ（図の例は１／２ドットずれ）ていると判定することができる。
【００７１】
なお、図１２（ｃ）、（ｄ）においては、必ずしも１／２ドット分のずれ量だけでなく、検出レベルの大小により、より高精細なずれ量を検出することは言うまでもない。
【００７２】
そして、上述した補正処理により、ピエゾ素子からなる物理移動素子１６により、液晶ディスプレイ２のずれ方向とは逆方向に、液晶ディスプレイ２をずれ量分だけずらして表示することで、液晶ディスプレイ１、２のそれぞれに表示される表示データ（アプリケーションなど）が１つの画像として違和感なく表示される。
【００７３】
なお、上述した第１から第４実施形態では、筐体を折り畳んだときに、液晶ディスプレイ１、２間のずれを補正するようにしたが、折り畳む度に補正するのではなく、例えば、折り畳み回数が所定の回数に達した場合や、前回の補正処理から所定の時間経過した時点で折り畳まれた場合、あるいは、起動時間を計時し、該起動時間が所定の時間に達した直後に折り畳まれた場合などに、液晶ディスプレイ１、２間のずれを補正するようにしてもよい。
【００７４】
以下、本発明の特徴を付記する。
（付記１）
第１のディスプレイが配設された第１の筐体と第２のディスプレイが配設された第２の筐体とを回動可能にヒンジで接続した折畳型のディスプレイ装置であって、
前記第１のディスプレイと前記第２のディスプレイとを対向させて前記第１の筐体と前記第２の筐体とが折り畳まれた否かを検出するスタイル検出手段と、
前記第１のディスプレイと前記第２のディスプレイとを対向させて前記第１の筐体と前記第２の筐体とを折り畳んだ状態で、前記第１のディスプレイと前記第２のディスプレイとの少なくとも一方のディスプレイの一部に対向するよう配置され、少なくとも一方のディスプレイに表示される画像を検出する検出手段と、
前記スタイル検出手段により前記第１の筐体と前記第２の筐体とが折り畳まれたことが検出されると、前記少なくとも一方のディスプレイにディスプレイ位置補正用画像を表示し、前記検出手段により検出される前記ディスプレイ位置補正用画像に基づいて、前記第１のディスプレイと前記第２のディスプレイとの位置のずれ方向とずれ量とを算出する補正値算出手段と、
前記補正値算出手段によって算出された該ずれ方向とずれ量とに基づいて、前記第１のディスプレイと前記第２のディスプレイとの位置ずれを補正する補正手段と
を備えることを特徴とするディスプレイ装置。（１）
【００７５】
（付記２）
前記補正値算出手段は、
前記スタイル検出手段により前記第１の筐体と前記第２の筐体とが折り畳まれたことが検出されると、前記ディスプレイ位置補正用画像として、検出しようとするずれ方向に直交する方向に描画されたラインを、該ラインが前記検出しようとするずれ方向に所定の画素単位で移動するように、前記少なくとも一方のディスプレイに表示する
ことを特徴とする付記１に記載のディスプレイ装置。（２）
【００７６】
（付記３）
前記補正手段は、
前記補正値算出手段によって算出された該ずれ方向とずれ量とに基づいて、前記第１のディスプレイと前記第２のディスプレイとの少なくとも一方のディスプレイに表示する表示データの位置を補正する画像処理手段である
ことを特徴とする付記１または２に記載のディスプレイ装置。（３）
【００７７】
（付記４）
前記補正手段は、
前記補正値算出手段によって算出された該ずれ方向とずれ量とに基づいて、前記第１のディスプレイと前記第２のディスプレイとの少なくとも一方のディスプレイを物理的に移動する物理的移動素子である
ことを特徴とする付記１または２に記載のディスプレイ装置。（４）
【００７８】
（付記５）
前記検出手段は、
前記第１のディスプレイと前記第２のディスプレイとを対向させて折り畳んだ状態で、前記第１のディスプレイの一部に対向するよう配置され、前記第１のディスプレイに表示される画像を検出する第１の検出手段と、
前記第１のディスプレイと前記第２のディスプレイとを対向させて折り畳んだ状態で、前記第２のディスプレイの一部に対向するよう配置され、前記第２のディスプレイに表示される画像を検出する第２の検出手段とからなり、
前記補正値算出手段は、
前記スタイル検出手段により前記第１の筐体と前記第２の筐体とが折り畳まれたことが検出されると、前記第１のディスプレイにディスプレイ位置補正用画像を表示し、前記第１の検出手段により検出される前記ディスプレイ位置補正用画像に基づいて、前記第１のディスプレイの位置のずれ方向とずれ量とを算出するとともに、前記第２のディスプレイにディスプレイ位置補正用画像を表示し、前記第２の検出手段により検出される前記ディスプレイ位置補正用画像に基づいて、前記第２のディスプレイの位置のずれ方向とずれ量とを算出し、
前記補正手段は、
前記補正値算出手段によって算出された、前記第１のディスプレイの位置のずれ方向とずれ量、及び前記第２のディスプレイの位置のずれ方向とずれ量に基づいて、前記第１のディスプレイと前記第２のディスプレイと位置ずれを補正する
ことを特徴とする付記１に記載のディスプレイ装置。（５）
【００７９】
（付記６）
前記補正値算出手段は、
前記スタイル検出手段により前記第１の筐体と前記第２の筐体とが折り畳まれたことが検出されると、前記ディスプレイ位置補正用画像として、検出しようとするずれ方向に直交する方向に描画されたラインを、該ラインが前記検出しようとするずれ方向に所定の画素単位で移動するように、前記第１のディスプレイと前記第２のディスプレイとに表示する
ことを特徴とする付記５に記載のディスプレイ装置。（６）
【００８０】
（付記７）
前記補正手段は、
前記補正値算出手段によって算出された、前記第１のディスプレイの位置のずれ方向とずれ量、及び前記第２のディスプレイの位置のずれ方向とずれ量に基づいて、前記第１のディスプレイと前記第２のディスプレイとに表示する表示データの位置を補正する画像処理手段である
ことを特徴とする付記５または６に記載のディスプレイ装置。（７）
【００８１】
（付記８）
前記補正手段は、
前記補正値算出手段によって算出された、前記第１のディスプレイの位置のずれ方向とずれ量、及び前記第２のディスプレイの位置のずれ方向とずれ量に基づいて、前記第１のディスプレイと前記第２のディスプレイとを物理的に移動する物理的移動素子である
ことを特徴とする付記５または６に記載のディスプレイ装置。（８）
【００８２】
（付記９）
第１のディスプレイが配設された第１の筐体と第２のディスプレイが配設された第２の筐体とを回動可能にヒンジで接続した折畳型のディスプレイ装置のコンピュータに、
前記第１のディスプレイと前記第２のディスプレイとを対向させて前記第１の筐体と前記第２の筐体とが折り畳まれた否かを検出するスタイル検出機能、
前記第１のディスプレイと前記第２のディスプレイとを対向させて前記第１の筐体と前記第２の筐体とを折り畳んだ状態で、前記第１のディスプレイと前記第２のディスプレイとの少なくとも一方のディスプレイの一部に対向するよう配置された検出手段により、少なくとも一方のディスプレイに表示される画像を検出する検出機能、
前記スタイル検出機能により前記第１の筐体と前記第２の筐体とが折り畳まれたことが検出されると、前記少なくとも一方のディスプレイにディスプレイ位置補正用画像を表示し、前記検出手段により検出される前記ディスプレイ位置補正用画像に基づいて、前記第１のディスプレイと前記第２のディスプレイとの位置のずれ方向とずれ量とを算出する補正値算出機能、
前記補正値算出機能によって算出された該ずれ方向とずれ量とに基づいて、前記第１のディスプレイと前記第２のディスプレイと位置ずれを補正する補正機能
を実行させることを特徴とするプログラム。（９）
【符号の説明】
【００８３】
１、２  液晶ディスプレイ
３  ヒンジ
４  第１の筐体
５  第２の筐体
６、７  フォトセンサ
８、１３  バックライト
９、１４  ディスプレイ制御部
１０、１５  メモリ
１１  スタイル検出部
１２  処理部
１６  物理移動素子
【図１】
2012037599.tif 000003
【図２】
2012037599.tif 000004
【図３】
2012037599.tif 000005
【図４】
2012037599.tif 000006
【図５】
2012037599.tif 000007
【図６】
2012037599.tif 000008
【図７】
2012037599.tif 000009
【図８】
2012037599.tif 000010
【図９】
2012037599.tif 000011
【図１０】
2012037599.tif 000012
【図１１】
2012037599.tif 000013
【図１２】
2012037599.tif 000014